(57)【要約】【課題】第１番ガイドが脚高タイプのものであっても、すべての釣糸ガイドの損傷を確実に防止する釣竿用トップカバーの提供。【解決手段】このトップカバー２０は、装着基部２１と、ガイド保護部２２と、保持部２３とを備える。ガイド保護部２２は、ガイド支持部材２５を有する。ガイド支持部材２５は、各釣糸ガイド３６〜４６を貫通し、トップガイド３６〜第２番ガイド４６を保護し支持する。保持部２３は、装着基部２１に設けられる。保持部２３は、第１番ガイド４７と元上竿４８との間に挿入される。保持部２３は、楔状に形成されている。保持部２３は、ゴム等の弾性体により構成される。【選択図】  図４
2004350575.tif 000002
【特許請求の範囲】
【請求項１】
複数の釣糸ガイドを有するアウターガイドタイプの釣竿に装着される釣竿用トップカバーであって、
収納状態の釣竿の先端部周面に当接される装着基部と、
装着基部に連続し、トップガイドから第２番ガイドまでを囲繞保持するガイド保護部と、
装着基部に設けられ、第１番ガイドに係合して当該第１番ガイドを保持する保持部とを備える釣竿用トップカバー。
【請求項２】
上記第１番ガイドは、上記先端部周面に嵌め合わされる環状部を備えたフレームと当該フレームに設けられたガイドリングとを有し、
上記保持部は、上記先端部周面と上記環状部の内周面との間に圧入される挿入部材を備えている請求項１に記載の釣竿用トップカバー。
【請求項３】
上記挿入部材は、その厚み寸法が先端から漸次大きくなるように楔状に形成されている請求項２に記載の釣竿用トップカバー。
【発明の詳細な説明】
【０００１】
【発明の属する技術の分野】
この発明は、いわゆるアウターガイドタイプの釣竿に装着される釣竿用トップカバーの構造に関するものである。
【０００２】
【従来の技術及び発明が解決しようとする課題】
図５は、収納状態におけるアウターガイドタイプの釣竿の一部断面要部拡大側面図である。同図は、いわゆるアウターガイドタイプの釣竿にトップカバーが装着された状態を図示している。
特にアウターガイドタイプの釣竿１では、釣竿１の収納時において、第１番節２（いわゆる穂先）及び釣糸ガイド３〜１４を保護するためのトップカバー１５が装着される（例えば、特許文献１及び特許文献２参照）。
【０００３】
トップカバー１５は、筒状に形成されたガイド保護部１６を有し、このガイド保護部１６に釣竿１を構成する部材（上記第１番節等）の先端部及び釣糸ガイド３等（同図では、釣糸ガイド３〜１３）が収容される。ガイド保護部１６は、ガイド支持部材１７を備えている。ガイド支持部材１７は、同図が示すように各釣糸ガイド３等に挿通され、これにより、各釣糸ガイド３等は、整列された状態で保持される。
【０００４】
【特許文献１】
特開平７−１４７８６７号公報
【特許文献２】
特開平７−１６３２７５号公報
【０００５】
ところで、釣竿１に設けられる釣糸ガイド３〜１４は、元竿１８側から順に第１番ガイド１４、第２番ガイド１３と称され、第１番節２の先端に設けられた釣糸ガイド３は、特にトップガイド３と称される。
各釣糸ガイド３〜１４は、釣竿１に装着される釣用リールから繰り出される釣糸を案内するためのものであるが、釣糸がスムーズに案内されるために、特に第１番ガイド１４は、脚１９が長く且つガイド口径が大きく設定されている（いわゆる脚高タイプの釣糸ガイド）。そして近年では、釣糸のよりスムーズな案内等が実現されるために、同図が示すように、第１番ガイド１４の脚１９はより長く且つガイド口径はより大きく形成される傾向にある。
【０００６】
なお、第１番ガイド１４は、実釣時（釣竿が伸長された状態）においては、元竿１８の所定位置（同図において右側に移動された位置）に固定される。この所定位置とは、釣糸がもっともスムーズに案内されるために好ましい位置である。そして、釣竿の収納時においては、第１番ガイド１４は、同図が示すように元竿１８の先端部側へ移動される。
つまり、第１番ガイド１４は元竿１８に対して移動可能に設けられているのであるが、その理由は、仮に第１番ガイド１４が上記所定位置に常時固定されていれば、釣竿１の搬送時に第１番ガイド１４が損傷を受けるおそれが強く、また、ロッドケースに対して釣竿１の出入作業が容易ではなくなるということである。特に、脚高タイプの釣糸ガイドでは、かかる不都合は、顕著となる。
【０００７】
このように第１番ガイド１４の脚１９が長く設定されると、ガイド支持部材１７は、第１番ガイド１４に挿通することが困難となる。したがって、同図が示すように、第１番ガイド１４は、ある程度フリーな状態で元竿１８に支持された状態とならざるを得ない。そのため、釣竿１の搬送中等において、第１番ガイド１４が安定せず、第１番ガイド１４が損傷を受けるおそれもある。
また、仮にガイド支持部材１７が第１番ガイド１４に強制的に挿通された場合は、ガイド支持部材１７が極端に変形することになる。このとき、トップガイド３及びトップガイド３の近傍に配置されている釣糸ガイド４等並びに第１番節２に局部的な外力が作用することとなり、トップガイド３等が損傷するおそれがある。
一方、仮にガイド支持部材１７が第１番ガイド１４の位置に対応した位置（脚１９の長さに対応した位置）に配置されたとしても、トップガイド３と第１番節１４との位置（脚の長さ）が異なることから、すべての釣糸ガイド３〜１４にガイド支持部材１７が挿通されたときは、ガイド支持部材１７が極端に変形せざるを得ない。その結果、トップガイド３等が損傷するおそれがある。
【０００８】
本発明は、かかる背景のもとになされたものであって、その目的は、第１番ガイドが脚高タイプのものであっても、すべての釣糸ガイドが損傷を受けることなく安全且つ確実に保持される釣竿用トップカバーを提供することである。
【０００９】
【課題を解決するための手段】
（１）  上記目的が達成されるため、本願に係る釣竿用トップカバーは、複数の釣糸ガイドを有するアウターガイドタイプの釣竿に装着される釣竿用トップカバーであって、収納状態の釣竿の先端部周面に当接される装着基部と、装着基部に連続し、トップガイドから第２番ガイドまでを囲繞保持するガイド保護部と、装着基部に設けられ、第１番ガイドに係合して当該第１番ガイドを保持する保持部とを備えることを特徴とするものである。
【００１０】
この構成によれば、釣竿が収納状態となったとき、各釣糸ガイドは釣竿の長手方向に沿って整列される。
この状態で、装着基部が釣竿の先端部周面に沿って配置されると、トップガイドから第２番ガイドは、ガイド保護部によって囲繞保持される。
なお、上記「収納状態の釣竿の先端部周面」とは、具体的には、釣竿を構成する部材である元竿の先端部又は元上竿の先端部の周面を意味する。
また、装着基部が上記先端部周面に配置されると、保持部が当該先端部周面に沿って配置されることになる。この保持部は、釣竿に設けられた第１番ガイドのみに係合する。これにより、第１番ガイドは、釣竿に対する所定の位置に位置決め保持される。
【００１１】
（２）  上記第１番ガイドは、上記先端部周面に嵌め合わされる環状部を備えたフレームと当該フレームに設けられたガイドリングとを有する。この場合、上記保持部は、上記先端部周面と上記環状部の内周面との間に圧入される挿入部材を備えて構成される。
上記第１番ガイドは、フレームの円環部が上記先端部周面に嵌め合わされることによって当該釣竿に係合される。そして、実釣時において釣竿が伸長されたときに、第１番ガイドは、元竿又は元上竿の所定位置に位置決め固定される。
当該釣竿が収納状態となったときは、第１番ガイドは、釣竿の先端側へスライドされる。釣竿は、一般に先端部の外径が後端部の外径よりも小さく設定されているから、第１番ガイドが釣竿の先端部側へスライドされると、上記円環部の内周面と上記先端部周面との間に所定の隙間が形成される。この隙間に挿入部材が挿入され、これにより、第１番ガイドは、釣竿の先端部に位置決め固定される。
【００１２】
（３）  上記挿入部材は、その厚み寸法が先端から漸次大きくなるように楔状に形成されているのが好ましい。
挿入部材の先端が楔状に形成されていることにより、当該挿入部材は、上記隙間に容易に且つ確実に押し込まれる。これにより、第１番ガイドは、釣竿に一層確実に位置決め固定される。
【００１３】
【発明の実施の形態】
以下、適宜図面が参照されつつ、好ましい実施形態に基づいて本発明が詳細に説明される。
【００１４】
図１は、本発明の一実施形態に係る釣竿用トップカバー（以下、単に「トップカバー」と称される）２０の斜視図である。また、図２は、図１におけるＩＩ−ＩＩ断面図、図３は、トップカバー２０の要部平面図である。
このトップカバー２０は、アウターガイドタイプの釣竿が収納状態となったときに、当該釣竿を構成する各部材（特に穂先を構成する第１番節）及び各釣糸ガイドを略位置決め状態で保持し、搬送時等における釣糸ガイド等の損傷を防止するためのものである。
なお、本明細書では、「釣竿」とは、収納状態の釣竿を意味し、トップカバー２０の釣竿への装着作業の要領については、後に詳述される。
【００１５】
トップカバー２０は、装着基部２１と、ガイド保護部２２と、保持部２３とを備えている。
装着基部２１は、トップカバー２０が釣竿に装着される際に、当該釣竿の先端部（具体的には、元竿又は元上竿の先端部）に沿って当接される。
装着基部２１は、図１が示すように真直な板状に形成されており、この部分が釣竿の先端部周面に沿って且つ長手方向に沿って配置される。
本実施形態では、装着基部２１の内面２４は、湾曲面に形成されている。この内面２４の曲率半径は、釣竿の先端部の外径寸法に対応されている。したがって、装着基部２１は、安定して上記先端部周面と当接され、これにより、釣竿へのトップカバー２０の取付作業はきわめて簡単なものとなる。
【００１６】
ガイド保護部２２は、装着基部２１に連続して形成されている。なお、本実施形態では、ガイド保護部２２及び装着基部２１は、樹脂により一体的に形成されている。もっとも、これらが別々の部材として構成され、既知の方法により連結されていてもよいことは勿論である。
ガイド保護部２２は、図１が示すように細長筒状に形成されている。このガイド保護部２２は、装着基部２１が釣竿の先端部周面に取り付けられた状態で、釣竿の各釣糸ガイドや第１番節等を囲繞し、保護するようになっている。
【００１７】
また、ガイド保護部２２は、ガイド支持部材２５を備えている。このガイド支持部材２５は、細長棒状（針状）に形成されている。ガイド支持部材２５は、ガイド保護部２２の底面にいわゆる片持ち状に固定されており、ガイド保護部２２の長手方向に沿って延びている。
このガイド支持部材２５は、例えば樹脂により構成される。ガイド支持部材２５は、各釣糸ガイドに挿通されるようになっており、ガイド支持部材２５が挿通されることによって、各釣糸ガイドは、略位置決め状態で保持される。
なお、ガイド支持部材２５の先端部には小孔２６が設けられており、釣糸が各釣糸ガイドに挿通される際のいわゆる糸通しとして利用され得る。
【００１８】
上記装着基部２１は、固定バンド２７を備えている。この固定バンド２７は、例えばゴムにより構成され、薄肉帯状に形成されている。
固定バンド２７は、その基端部が装着基部２１に固定されており、また、その先端部には、貫通孔３０が設けられている。
一方、装着基部２１の外面２８には、図２が示すように、突起２９が突設されている。
上記固定バンド２７は、装着基部２１が釣竿の先端部周面に沿わされた状態で、両者に巻き回され、固定バンド２７の上記貫通孔３０に上記突起２９が嵌め込まれる。これにより、装着基部２１は、釣竿に締結され、確実に固定されるようになっている。
【００１９】
保持部２３は、例えばゴムにより構成される。もっとも、保持部２３を構成する材料は、ゴムに限定されるものではなく、樹脂等により構成されていてもよい。ただし、保持部２３は、ゴム等の弾性に富む材料で構成されるのが好ましい。図１及び図２が示すように、保持部２３は、全体として細長板状に形成されており、基部３１と挿入部３２（挿入部材）とを備えている。
【００２０】
基部３１は、上記装着基部２１の内面２４に沿って配置されている。基部３１は、例えば、接着剤や両面テープ等によって装着基部２１に固着されている。
挿入部３２は、本実施形態では、基部３１と一体的に形成されており、基部３１に連続して装着基部２１の長手方向に延びている。挿入部３２の先端部の厚み寸法ｄは、所定の寸法に設定されており、釣竿の仕様に応じて適宜１．５ｍｍ〜６．０ｍｍの範囲で設定され得る。
【００２１】
本実施形態では、挿入部３２は、いわゆる楔状に形成されている。具体的には、図１及び図２が示すように、挿入部３２の下面３３は、上面３４に対して傾斜されており、これにより、挿入部３２の厚み寸法は、先端部から基部３１側に向かって漸次大きくなるように設定されている。なお、挿入部３２の最大厚み寸法は、３ｍｍ〜８ｍｍの範囲で設定され得る。
なお、本実施形態では、挿入部３２は、基部３１と一体的に形成されているが、挿入部３２が別部材として構成され、基部３１に連結されていてもよいことは勿論である。その場合、挿入部３２は、ゴム等の弾性に富む材料で構成されるのが好ましい。
【００２２】
図４は、釣竿３５に装着された状態におけるトップカバー２０の一部断面側面図である。
本実施形態に係るトップカバー２０は、次のような要領で取り付けられる。
まず、釣竿３５が収納状態とされる。具体的には、釣竿３５を構成する各部材が隣り合う部材の内部に挿入される。
釣竿３５を構成する部材には、釣糸ガイド３６〜４７が装着されている。本実施形態では、釣糸ガイド４７は、いわゆる脚高タイプのものである。釣糸ガイド４７は、特に第１番節４７と称され、釣糸ガイド３６は、特にトップガイドと称される。
【００２３】
具体的には、第１番ガイド４７が元上竿４８（釣竿の仕様によっては、第１番ガイドが元竿に設けられる場合がある。）に設けられ、第２番ガイド４６〜第１１番ガイド３７が順に各節に設けられている。なお、第１番節の先端には、トップガイド３６が固定されている。
釣竿３５が収納状態となったときは、各釣糸ガイド３６〜４７は、図４が示すように略整列される。
【００２４】
この状態で、トップカバー２０の装着基部２１が元上竿４８の先端部周面４９に沿わされ、当接される。前述のように、装着基部２１の内面２４は、上記先端部周面４９の外径に対応されているから、装着基部２１は、簡単に且つ安定して元上竿４８に当接される。
このとき、ガイド支持部材２５が各釣糸ガイド３６〜４６に挿通される。ここで、第１番ガイド４７は脚高タイプのものであるから、ガイド支持部材２５は、第１番ガイド４７に挿通されることはない。
これにより、トップガイド３６から第２番ガイド４６は、ガイド保護部２２によって囲繞され保護されると共に、ガイド支持部材２５によって保持される。
【００２５】
ここで、第１番ガイド４７は、脚を構成するフレーム５０と、ガイドリング５１とを備えている。フレーム５０は、環状部５２を有し、この環状部５２が元上竿４８の外側に嵌め込まれている。
環状部５２の内径寸法は、元上竿４８の所定の位置の外径寸法に対応されている。この「所定の位置」とは、第１番ガイド４７によって案内される釣糸がもっともスムーズに案内される位置である。したがって、第１番ガイド４７が元上竿４８の後端側へスライドされることによって、当該第１番ガイド４７は、環状部５２の内径と元上竿４８の外径との関係（はめあい）によって、元上竿４８の所定位置に固定されるようになっている。
【００２６】
釣竿３５がコンパクトに収納されるために、釣竿３５の収納時においては、第１番ガイド４７は、元上竿４８の先端部側へスライドされる。これにより、第１番ガイド４７の環状部５２の内周面と元上竿４８の外周面との間に、所定の隙間５３が形成されることになる。なぜなら、元上竿４８の外径は、先端部側ほど小さいからである。
そして、この隙間５３に上記保持部２３が係合する。つまり、第１番ガイド４７は、保持部２３によって位置決め保持されることになる。
【００２７】
このように、本実施形態に係るトップカバー２０では、トップガイド３６から第２番ガイド４６まではガイド保護部２２によって囲繞保持され、第１番ガイド４７は保持部２２によって保持される。
すなわち、第１番ガイド４７が特に脚高タイプのものであっても、第１番ガイド４７は、専ら保持部２２によって保持される。つまり、すべての釣糸ガイド３６〜４７が、ガイド支持部材２５が無理に変形されることによって支持される構造ではない。したがって、各釣糸ガイド３６〜４７に予定されていない外力が作用することがないので、すべての釣糸ガイド３６〜４７は、応力が生じることなく安定して保持される。その結果、釣竿３５の搬送時等においても、釣竿３５を構成する部材（特に第１番節等）や各釣糸ガイド３６〜４７が損傷することはない。
【００２８】
特に、本実施形態では、上記保持部２３の挿入部３３が第１番ガイド４７と元上竿４８との間の隙間５３に押し込まれる。つまり、挿入部３３は、上記隙間５３に圧入される。これにより、挿入部３３が弾性変形し、その弾性反力によって第１番ガイド４７が元上竿４８に固定される。したがって、第１番ガイド４７が元上竿４８に位置決めされる作業は、きわめて簡単であり、その結果、釣竿３５の収納作業は、簡単であり且つ円滑に行われるという利点がある。
加えて、上記挿入部３３の先端部の肉厚寸法がｄに設定されているから、挿入部３３を上記隙間５３に挿入する作業は、一層容易なものとなる。
【００２９】
さらに、本実施形態では、上記挿入部２３が楔状に形成されているから、挿入部２３は、上記隙間５３に容易に挿入され、且つ確実に押し込まれる。
したがって、第１番ガイド４７は、元上竿４８に一層確実に位置決め固定されるという利点がある。
【００３０】
【発明の効果】
以上のように本発明によれば、釣竿の収納時において、トップガイドから第２番ガイドまではガイド保護部によって保持され、第１番ガイドは保持部によって保持される。すなわち、第１番ガイドが特に脚高タイプのものであっても、当該第１番ガイドは、上記ガイド保護部によって保持されるのではなく、当該第１番ガイドに専ら係合する保持部によって保持される。したがって、すべての釣糸ガイドは、予定されていない外力が作用することなく確実に安定して保持される。その結果、釣竿の搬送時等においても、第１番節や各釣糸ガイドが損傷することはないとい効果がある。
【図面の簡単な説明】
【図１】図１は、本発明の一実施形態に係る釣竿用トップカバーの斜視図である。
【図２】図２は、図１におけるＩＩ−ＩＩ断面図である。
【図３】図３は、本発明の一実施形態に係る釣竿用トップカバーの要部平面図である。
【図４】図４は、本発明の一実施形態に係る釣竿用トップカバーの一部断面側面図である。
【図５】図５は、従来の収納状態におけるアウターガイドタイプの釣竿の一部断面要部拡大側面図である。
【符号の説明】
２０・・・トップカバー
２１・・・装着基部
２２・・・ガイド保護部
２３・・・保持部
２５・・・ガイド支持部材
２７・・・固定バンド
２８・・・外面
３１・・・基部
３２・・・挿入部
３３・・・下面
３４・・・上面
３５・・・釣竿
３６・・・トップガイド
４７・・・第１番節
４８・・・元上竿
４９・・・先端部周面
５０・・・フレーム
５１・・・ガイドリング
５２・・・環状部
５３・・・隙間
【図１】
2004350575.tif 000003
【図２】
2004350575.tif 000004
【図３】
2004350575.tif 000005
【図４】
2004350575.tif 000006
【図５】
2004350575.tif 000007